(57)【特許請求の範囲】
【請求項１】
指示計器の前面側に配置される表示板と、前記指示計器を実装する硬質材料からなる回路基板と、この回路基板の前面側に配置され、前記表示板を載置する樹脂材料からなるケース体と、このケース体の前面側に配置され、少なくとも前面が透視可能な樹脂材料からなる上ケースと、前記ケース体と前記回路基板とを覆う樹脂材料からなる下ケースと、を備えてなる計器装置において、前記ケース体には、前記回路基板から前記表示板の方向へ延びる略枠状の側壁部と、前記側壁部の内側に形成され、前記表示板を前面側に載せる載置面部とを設けるとともに、前記表示板の外周端部の領域に沿う前記載置面部の適宜箇所に前記載置面部の板厚より深い凹部を設けてなることを特徴とする計器装置。
【請求項２】
前記凹部は、前記表示板の外周端部によって部分的に覆われるように設けてなることを特徴とする請求項１に記載の計器装置。
【請求項３】
前記凹部は、前記ケース体の前記載置面部に複数設けてなることを特徴とする請求項１または請求項２に記載の計器装置。
【請求項４】
前記凹部は、前記載置面部に設けられた開口孔部からなることを特徴とする請求項１から請求項３のいずれかに記載の計器装置。
【請求項５】
前記凹部は、前記載置面部から前記下ケース側に向けて窪んで設けられた有底凹設部からなることを特徴とする請求項１から請求項３のいずれかに記載の計器装置。
【請求項６】
指示計器の前面側に配置される表示板と、前記指示計器を実装する硬質材料からなる回路基板と、この回路基板の前面側に配置され、前記表示板を載置する樹脂材料からなるケース体と、このケース体の前面側に配置され、少なくとも前面が透視可能な樹脂材料からなる上ケースと、前記ケース体と前記回路基板とを覆う樹脂材料からなる下ケースと、を備えてなる計器装置において、前記ケース体には、ケース体の前面側に前記表示板を載せる載置面部を設けるとともに、前記表示板の外周端部の領域に沿う前記載置面部の適宜箇所に凹部を設け、
前記凹部は、前記載置面部から前記下ケース側に向けて窪んで設けられた有底凹設部からなり、
前記有底凹設部は、前記載置面部から前記下ケース側に向けて略断面コ字状に凹んで設けられた立ち下がり壁部と底壁部とからなり、前記有底凹設部に設けられた前記底壁部の少なくともその一部に突き当て部を設け、この突き当て部を前記回路基板側に突き当て配置してなることを特徴とする計器装置。
【請求項７】
前記ケース体の前記載置面部には、前記表示板の板面よりも突出する位置決め凸部を設け、この位置決め凸部と対向する前記表示板箇所に前記ケース体に対して位置合わせする切り欠き部を設けてなることを特徴とする請求項１から請求項６のいずれかに記載の計器装置。
【請求項８】
前記上ケースは、少なくとも前面が透視可能な樹脂材料からなる透視カバーパネル部材と前記表示板の表示領域を仕切る見返しパネル部材とから形成され、前記見返しパネル部材によって前記ケース体に設けられた前記凹部および前記位置決め部とを覆ってなることを特徴とする請求項１から請求項７のいずれかに記載の計器装置。
【発明の詳細な説明】
【技術分野】
【０００１】
本発明は、例えば自動車やオートバイ、建設機械、農耕機械などの車両に搭載される計器装置に関する。
【背景技術】
【０００２】
従来の車両などに搭載される計器装置として、速度計や回転計などの指針式の指示計器の前面側に配置される表示板（表示パネル）と、前記指示計器を実装する硬質材料からなる回路基板と、この回路基板の前面側に配置され、前記表示板（表示パネル）を載置する樹脂材料からなる枠状のケース体と、このケース体の前面側に配置され、少なくとも前記表示板（表示パネル）の表示領域となる前面が透視可能な樹脂材料からなる透視カバーパネル部材と表示板（表示パネル）の表示領域を仕切る見返しパネル部材とからなる上ケース（前面側ケース）と、前記ケース体と前記回路基板とを覆う樹脂材料からなる下ケース（背後側ケース）と、を備えてなる計器装置を構成している。
【０００３】
また、このような計器装置として、組み付けを簡素化する上で、例えば本願出願人は特許文献１などに示すような構成を採用している。この場合、合成樹脂製の枠状からなるケース体の背後には、計器本体を駆動するための各種回路部品を導通接続した硬質からなる回路基板を組み付け固定し、この回路基板に各指示計器（速度計や燃料計などの各種計器）の一部を構成する計器本体をそれぞれ組み付け固定している。また、計器本体の指針軸の先端に指針を装着し、この指針の背後に位置したケース体の前面側には指針の回動軌跡に沿って目盛や文字などの指標部が施された表示板（表示パネル）を配置し固定保持している。
【０００４】
このようにケース体を基準にして回路基板や計器本体および表示板（表示パネル）などを組み付け保持することにより、上側と下側のケース内にケース体をセットすることによって簡単に計器本体・回路基板・表示板などをケース内に実装することができるという利点を有している。
【０００５】
この際、計器装置の組み付けを簡便に行うためにビス締めによる固定手段から、例えば弾性腕片に備えた爪状のフック部とこの弾性腕片のフック部と係合する枠状の係合部とを着脱可能に設けるように構成することによって、組み付けおよび分解などの作業を個別に設けた部品であるビスによるビス締め作業に比べて簡単に行うことができるようにしたものが知られている（特許文献２および特許文献３など）。
【先行技術文献】
【特許文献】
【０００６】
【特許文献１】特開２００２−１０７１８３号公報
【特許文献２】特開２００５−２９２０７４号公報
【特許文献３】特開２００８−７５６９６号公報
【発明の概要】
【発明が解決しようとする課題】
【０００７】
ところで、前述した特許文献１から特許文献３などにおける計器装置においては、例えば上ケース（前面側ケース）である透視カバーパネル部材および見返しパネル部材やケース体あるいは下ケース（背後側ケース）のそれぞれの外周部分に係止用のフック部を設け、このフック部などに対応するように見返しパネル部材やケース体あるいは下ケースなどに枠状の係合部を形成して係合保持するように構成しているため、上下のケースとケース体の組み付けや分解（部品の組み替えを含む）などの作業においてはさほど問題はない。
【０００８】
しかしながら、近年においては製作の容易性あるいはコストなどを考慮して、表示板自体が０．５ミリ程度の合成樹脂製からなるシート状の基板により形成され、このシート状の基板の表面などに目盛や文字などの指標部や地色部となる領域を印刷によって施し、この印刷を施したシート板を表示板形状に合わせて金型にて打ち抜き形成したものを採用している。このため、枠状のケース体の表面側の板面上にセットされている比較的に薄く形成されているシート状の表示板（表示パネル）を表示板の板面から剥離させながら取り外そうとした場合、指先にてシート状表示板端面に宛がってシート状の表示板を反り返らせて取り外そうとしても簡単にケース体の板面から表示板が浮き上がらないことがあり、これにより表示板の取り外しあるいは組み替え作業などにおいて手間を要することがある。
【０００９】
そこで本発明は、前述の問題点に着目し、表示板の組み付けや取り外しあるいは組み替え作業において、その作業性を従来に比して簡単に行うことのできる計器装置を提供することを目的とするものである。
【課題を解決するための手段】
【００１０】
本発明は前述した課題を解決するため、請求項１では、指示計器の前面側に配置される表示板と、前記指示計器を実装する硬質材料からなる回路基板と、この回路基板の前面側に配置され、前記表示板を載置する樹脂材料からなるケース体と、このケース体の前面側に配置され、少なくとも前面が透視可能な樹脂材料からなる上ケースと、前記ケース体と前記回路基板とを覆う樹脂材料からなる下ケースと、を備えてなる計器装置において、前記ケース体には、前記回路基板から前記表示板の方向へ延びる略枠状の側壁部と、前記側壁部の内側に形成され、前記表示板を前面側に載せる載置面部とを設けるとともに、前記表示板の外周端部の領域に沿う前記載置面部の適宜箇所に前記載置面部の板厚より深い凹部を設けてなることを特徴とする計器装置である。
【００１１】
このように構成することにより、作業者はケース体の載置面部に設けられた凹部箇所に指先を沿わせながら表示板の外周端部分に指先を宛がい、ケース体の載置面部から簡単に表示板を浮き上がらせることができるものであり、表示板の取り外しや組み替えなどの作業を簡便に行うことができる。
【００１２】
また請求項２では、請求項１に記載の計器装置において、前記凹部は、前記表示板の外周端部によって部分的に覆われるように設けてなることを特徴とするものである。
【００１３】
このように構成することにより、表示板の外周端部に指先を凹部内に差し入れやすく、しかも表示板の外周端部の縁部から内側に向けて凹部が存在するために表示板の外周端部に指先を引っ掛けながら表示板を浮き上がらせることができる。
【００１４】
また請求項３では、請求項１または請求項２に記載の計器装置において、前記凹部は、前記ケース体の前記載置面部に複数設けてなることを特徴とするものである。
【００１５】
このように構成することにより、作業者は、利き手となる右手あるいは左手にて複数の凹部箇所を選択して表示板の外周端部分に指先を沿わせ、表示板の外周端部分に指先を宛がいながら引っ掛けるように引き上げることにより、ケース体の載置面部から簡単に表示板を浮き上がらせることができ、表示板の取り外しや組み替えなどの作業を簡便に行うことができる。なお、複数の凹部を設けることにより、両手にて凹部に指先を差し込みながら表示板の取り外しや組み替え作業を行うことができるため、さらに表示板の取り外しや組み替え作業を行うことが可能となる。
【００１６】
また請求項４では、請求項１から請求項３のいずれかに記載の計器装置において、前記凹部は、前記載置面部に設けられた開口孔部からなることを特徴とするものである。
【００１７】
このように構成することにより、作業者は、開口孔部に指先を差し込みながら表示板の外周端部分を抑えて表示板の取り外しや組み替え作業を行うことができるため操作性をさらに高めることができる。
【００１８】
また請求項５では、請求項１から請求項３のいずれかに記載の計器装置において、前記凹部は、前記載置面部から前記下ケース側に向けて窪んで設けられた有底凹設部からなることを特徴とするものである。
【００１９】
このように構成することにより、凹部は、ケース体の載置面部から窪んだ有底凹設部が設けられるため、ケース体の外部からゴミなどの侵入も防ぐことができる。
【００２０】
また請求項６では、指示計器の前面側に配置される表示板と、前記指示計器を実装する硬質材料からなる回路基板と、この回路基板の前面側に配置され、前記表示板を載置する樹脂材料からなるケース体と、このケース体の前面側に配置され、少なくとも前面が透視可能な樹脂材料からなる上ケースと、前記ケース体と前記回路基板とを覆う樹脂材料からなる下ケースと、を備えてなる計器装置において、前記ケース体には、ケース体の前面側に前記表示板を載せる載置面部を設けるとともに、前記表示板の外周端部の領域に沿う前記載置面部の適宜箇所に凹部を設け、前記凹部は、前記載置面部から前記下ケース側に向けて窪んで設けられた有底凹設部からなり、前記有底凹設部は、前記載置面部から前記下ケース側に向けて略断面コ字状に凹んで設けられた立ち下がり壁部と底壁部とからなり、前記有底凹設部に設けられた前記底壁部の少なくともその一部に突き当て部を設け、この突き当て部を前記回路基板側に突き当て配置してなることを特徴とするものである。
【００２１】
このように構成することにより、ケース体から一体に断面が略コ字状に設けられた立ち上がり壁部と底壁部とからなる有底凹設部によってケース体の外部からゴミなどの新入を防ぐことができるとともに、その有底凹設部に指先を差し込みながら表示板の外周端部分に沿わせて表示板の取り外しや組み替え作業を行うことができる。さらに、突き当て部によって回路基板の浮き上がりを防ぐことができるとともに、突き当て部を回路基板の表面部分に当接することで、外部の振動に対して回路基板３０が共振することもなく保持されるものであり、共振などによる軋み音などの異音の発生も防ぐことができる。
【００２４】
また請求項７では、請求項１から請求項６のいずれかに記載の計器装置において、前記ケース体の前記載置面部には、前記表示板の板面よりも突出する位置決め凸部を設け、この位置決め凸部と対向する前記表示板箇所に前記ケース体に対して位置合わせする切り欠き部を設けてなることを特徴とするものである。
【００２５】
このように構成することにより、ケース体に設けられた位置決め凸部に位置合わせしつつ表示板の切り欠き部を位置決め保持することにより、ケース体の載置面部に沿って表示板を簡単に所定の位置にセットすることができる。
【００２６】
また請求項８では、請求項１から請求項７のいずれかに記載の計器装置において、前記上ケースは、少なくとも前面が透視可能な樹脂材料からなる透視カバーパネル部材と前記表示板の表示領域を仕切る見返しパネル部材とから形成され、前記見返しパネル部材によって前記ケース体に設けられた前記凹部および前記位置決め部とを覆ってなることを特徴とするものである。
【００２７】
このように構成することにより、ケース体に設けられた凹部と位置決め凸部とは上ケースに設けられた見返しパネル部材によって覆われるため、表示板に設けられた指標部（目盛や文字、数字）を含む表示領域以外の領域を目隠しすることができる。
【発明の効果】
【００２８】
本発明による計器装置においては、指示計器の前面側に配置される表示板と、前記指示計器を実装する硬質材料からなる回路基板と、この回路基板の前面側に配置され、前記表示板を載置する樹脂材料からなるケース体と、このケース体の前面側に配置され、少なくとも前面が透視可能な樹脂材料からなる上ケースと、前記ケース体と前記回路基板とを覆う樹脂材料からなる下ケースと、を備えてなる計器装置において、前記ケース体には、ケース体の前面側に前記表示板を載せる載置面部を設けるとともに、前記表示板の外周端部の領域に沿う前記載置面部の適宜箇所に凹部を設けてなることを特徴とする計器装置であるため、作業者はケース体の載置面部に設けられた凹部箇所に指先を沿わせながら表示板の外周端部分に指先を宛がい、ケース体の載置面部から簡単に表示板を浮き上がらせることができるものであり、表示板の取り外しや組み替えなどの作業を簡便に行うことができるものであり、これにより表示板の組み付けおよび取り外しの作業効率を高めることができるものであり、初期の目的を達成することができる。
【図面の簡単な説明】
【００２９】
【図１】図１は、本発明の第１の実施形態である計器装置を示す正面図である。
【図２】図２は、図１の計器装置において上ケースを取り除いた状態を示す正面図である。
【図３】図３は、図２の表示板を取り除いた状態を示す正面図である。
【図４】図４は、図１のＡ−Ａ線箇所を示す計器装置の拡大断面図である。
【図５】図５は、図１のＢ−Ｂ線箇所を示す計器装置の拡大断面図である。
【図６】図６は、図１のＣ−Ｃ線箇所を示す計器装置の拡大断面図である。
【図７】図７は、図６の組み付け前の状態を示す計器装置の断面図である。
【図８】図８は、図６における上ケースと指針を取り外した状態を示す計器装置の断面図である。
【図９】図９は、本発明の第２の実施形態である計器装置を示すもので、上ケースを除去した状態を示す正面図である。
【図１０】図１０は、本発明の第２の実施形態である計器装置の要部を示す拡大断面図である。
【図１１】図１１は、本発明の第２の実施形態である計器装置の要部を示す拡大断面図である。
【図１２】図１２は、図１１における上ケースと指針を取り外した状態を示す計器装置の断面図である。
【図１３】図１３は、第２の実施形態における表示板の保持構造を示す計器装置の要部断面図である。
【図１４】図１４は、第２の実施形態である計器装置におけるケース体に設けられた凹部の変形例を示す要部の断面図である。
【図１５】図１５は、図１４のケース体と表示板との要部箇所を示した平面図である。
【発明を実施するための形態】
【００３０】
図１から図８は本発明の第１の実施形態を示すもので、以下、これらに基づいて本発明の実施形態をたとえば自動車に搭載される計器装置を例にして説明する。
【００３１】
同図において、本実施形態による計器装置においては、速度計、燃料計、水温計などの指針式の指示計器１０の前面側に配置される表示板２０と、前記指示計器１０の計器本体１１を実装する硬質材料からなる回路基板３０と、この回路基板３０の前面側に配置され、前記表示板２０を載置する樹脂材料からなる枠状のケース体４０と、このケース体４０の前面側に配置され、少なくとも前面が透視可能な樹脂材料からなる透視カバーパネル部材５１と表示板２０の表示領域を仕切る見返しパネル部材５２とからなる前面側ケースである上ケース５０と、前記ケース体４０と前記回路基板３０とを覆う樹脂材料からなる下ケース６０（背後側ケース）と、を備えて構成している。
【００３２】
この場合、速度計や燃料計、水温計などの各種情報を表示する各指示計器１０にあっては、回路基板３０の背後側に各指示計器１０の一部を構成する計器本体１１がそれぞれ組み付け固定されており、この各計器本体１１に設けられた指針軸１２の先端側に、指針軸１２を軸芯として回転する指針１３がそれぞれ圧入固定されている。この実施例における指針構造としては、透明な合成樹脂たとえばポリカーボネート樹脂やアクリル樹脂などにて形成された発光指針１３を用いている。
【００３３】
この実施形態にあっては、計器本体１１は、可動磁石式計器またはステッピングモータからなり、この例では指針軸１２が回路基板３０に形成した軸孔３１を貫通するように、回路基板３０の背後に装着され、且つ半田付け等の適宜導通手段により配線パターンに電気接続されている。
【００３４】
また指針１３の背後側に位置したケース体４０の前面側に配置される表示板２０自体は、０．５ミリ程度の合成樹脂製からなるシート状の基板、例えばポリカーボネート樹脂の基板からなり、このシート状の樹脂基板からなる表示板２０には、目盛や数字や記号などからなる表示部（指標部）２１が施されている。また、表示板２０には、指針軸１２に対応した位置に挿通孔２２が設けられ、この挿通孔２２を通じて指針軸１２と指針１３とが連結できるようになっている。
【００３５】
また回路基板３０は、たとえばガラスエポキシ系基材に配線パターン（図示せず）を施した硬質回路基板からなり、計器本体１１の駆動・制御を行う駆動手段（図示せず）や、たとえば抵抗、コンデンサ等の各種電子部品（図示せず）が前記配線パターンに導通接続されている。この回路基板３０上には、枠状のケース体４０内に臨んで表示板２０の目盛部や数字などの表示部２１を透過照明するための光源（発光ダイオード７０）と、指針１３を発光照明するための指針用光源（発光ダイオード７１）とが実装されるとともに、前述したように計器本体１１が回路基板３０の背後側に組み付け固定されている。
【００３６】
またケース体４０は、白色系の合成樹脂材料によって速度計、液面計、水温計などの指示計器１０を支持するために全体が略枠状の側壁部４１と、この側壁部４１の中程をそれぞれ繋ぐように設けられた水平壁部４２によって形成され、その枠状に形成されたケース体４０から一体にそれぞれの指示計器１０の指針軸１２を取り巻くように円筒部４３が形成され、この円筒部４３の底部に位置した回路基板３０の表面側に前述した指針照明用としての光源７１が配置されている。この場合、前記水平壁部４２は文字板２０を載置する載置面部として形成している。
【００３７】
また、ケース体４０には円筒部４３の外周面の中程から連続して反射壁部４４が一体に突き出し形成され、この反射壁部４４の真下の位置には前述したように目盛や数字などからなる表示部２１を透過照明するための照明用としての光源７０が配置されている。また、ケース体４０には、光源７０からの光を反射壁部４４を介して反射導光し、この反射導光した光をさらに表示板２０の表示部２１側へと反射導光する反射面部４５がケース体４０の水平壁部４２から連続して一体に形成されている。
【００３８】
また上ケース５０の一部を構成する透視カバーパネル部材５１は、例えば透明な合成樹脂からなり、表示板２０上の表示部２１領域が透視できるように設けられている。
【００３９】
また上ケース５０の一部を構成する見返しパネル部材５２は、例えば黒色の合成樹脂からなり、表示板２０上の表示部２１領域を視認可能となるように枠状に仕切るように設けられている。
【００４０】
また下ケース６０は、例えば合成樹脂からなり、回路基板３０の背後とケース体４０の外周面側を覆うように有底枠状に形成されている。
【００４１】
ところで、本実施形態における計器装置の各構成部材の組み付け・取り外し構造としての構成として、上ケース５０やケース体４０および下ケース６０の各構成部材には以下の構造が用いられている。
【００４２】
透視カバーパネル部材５１の外周部の適所には、所定の間隔を配して複数個の係止部５１０が一体に設けられている。この場合、係止部５１０としては、透視カバーパネル部材５１の外周部から一体に下ケース６０側に向けて突出する弾性腕片５１１と、この弾性腕片５１１の先端部に設けられた爪状のフック部５１２とによって形成されている。
【００４３】
また見返しパネル部材５２側には、透視カバーパネル部材５１に設けた係止部５１０のいくつかを受け入れるために枠状の係合部５２０が係止部５１０と対向する位置に一体に設けられるとともに、前記透視カバーパネル部材５１と同様にして見返しパネル部材５２の外周部の適所に弾性腕片５２１とフック部５２２とからなる係止部５２３が所定の間隔を配して一体に設けられている。
【００４４】
また下ケース６０には、透視カバーパネル部材５１に設けられた弾性腕片５１１とフック部５１２からなる係止部５１０と、見返しパネル部材５２に設けられた弾性腕片５２１とフック部５２２からなる係止部５２３とをそれぞれ受け入れるために下ケース６０の外周部箇所に枠状からなる係合部６００がそれぞれ設けられている。
【００４５】
またケース体４０には、ケース体４０の上側周縁端部に外側に向けて水平方向に突出するフランジ部４００が設けられ、このフランジ部４００を上ケース５０と下ケース６０との間に挟着保持するように設けている。
【００４６】
またケース体４０と下ケース６０との間に配設される回路基板３０は、本実施形態にあってはケース体４０側と下ケース６０側との間に挟着保持されるように設けられている。この際、下ケース６０には、その下ケース６０の底面部分から回路基板３０に向けて突出する載置部６１０を設けている。この載置部６１０の厚み分によって回路基板３０に実装される電子部品や計器本体１１の実装スペースが確保される。
【００４７】
また、本実施形態においては、表示板２０を載置して位置決め保持するためのピン状の位置決め凸部４１０がケース体の４０の載置面部となる水平壁部４２の板面よりも前面側に突設するように設けられている。そして、この位置決め凸部４１０と対向する表示板２０箇所に丸孔または長孔状あるいはスリット状からなる切り欠き部２００が設けられており、ケース体４０に設けられた位置決め凸部４１０に位置合わせしつつ表示板２０の切り欠き部２００を位置合わせしながらケース体４０の載置面部となる水平壁部４２に位置決め保持することができるように構成している。
【００４８】
また、本実施形態では、表示板２０を載置して保持するケース体４０には、前述したようにケース体４０の前面側に表示板２０を載せる載置面部となる水平壁部４２が設けられている。この水平壁部４２には、表示板２０の外周端部の一部の領域に沿い水平壁部４２となる載置面部の適所に凹部４２０が設けられている。この実施形態における凹部４２０としては、表示板２０を正面視した場合、図２や図３に示すように、表示板２０の上側に位置した外周端部の適所に凹部４２０が２箇所設けられている。この凹部４２０としては、表示板２０の水平壁部４２箇所の適所を切り欠いて設けた開口孔部４２０ａからなる凹部４２０を構成している。
【００４９】
また、前述のケース体４０の載置面部となる水平壁部４２箇所には、位置決め凸部４１０に加えて指示計器１０の指針軸１２を取り巻くように設けられた円筒部４３の位置に合わせて水平壁部４２から前面側（ケース体４０の表面側）に突出する筒状部４３０が形成され、この筒状部４３０に表示板２０の挿通孔２２が挿入されることによって表示板２０が位置決めされながら保持されるように設けられている。
【００５０】
このように構成された第１の実施形態おける計器装置においては、以下のように組み付けが行われる。まず最初に回路基板３０に各指示計器１０の一部を構成する計器本体１１をそれぞれ組み付け固定するとともに電気的に引き回し形成し、この状態にて回路基板３０を下ケース６０を基準にしてセットする。
【００５１】
次いで、ケース体４０の前面側に表示板２０を配置した状態にて、下ケース６０にセットする。続いて各計器本体１１に設けられた指針軸１２の先端側に指針１３の基部側を圧入固定する。これにより下ケース６０を基準として計器本体１１を組み付けた回路基板３０、ケース体４０および表示板２０が積層状態にてセットされる。さらに、上ケース５０となる見返しパネル部材５２と透視カバーパネル部材５１とを下ケース６０側に重ね合わせて組み付けることにより、見返しパネル部材５２と透視カバーパネル部材５１とにそれぞれ設けられた係止部５２３，５１０が下ケース６０側に設けた枠状の係合部６００に沿って送り込まれ各係止部５２３，５１０に設けられたフック部５２２，５１１が枠状の係合部６００に係合して抜け止め保持される。
【００５２】
この際、下ケース６０の係合部６００に対し、上ケース５０側に設けた係止部５２３，５１０を係合固定するだけで、上ケース５０と下ケース６０との間にケース体４０に設けたフランジ部４００を介してケース体４０を挟着保持することができる。さらに、この係合固定と同時に、ケース体４０と下ケース６０との間に回路基板３０を挟着保持することができるものであり、組み付け作業の効率化を図ることが可能となる。
【００５３】
またケース体４０の載置面部となる水平壁部４２に対し、表示板２０を載せながら所定の位置にセットする。この際、水平壁部４２の表面上に突出して設けられたピン状の位置決め凸部４１０に表示板２０の設けられたスリット状からなる切り欠き部２００を位置合わせしながらセットすることができるものであり、また本実施形態では、位置決め凸部４１０に加えて指示計器１０の指針軸１２を取り巻くように水平壁部４２から前面側（ケース体４０の表面側）に突出する筒状部４３０が形成されているため、その筒状部４３０も表示板２０の位置合わせの役目を果たすことが可能となり、ケース体４０に表示板２０を良好にセットすることができる。
【００５４】
また、ケース体４０に表示板２０の組み付けを行う際に、ケース体４０の載置面部となる水平壁部４２に開口孔部４２０ａからなる凹部４２０が設けられているため、表示板２０の外周端縁に指先を引っ掛けながらケース体４０の載置面部となる水平壁部４２上に表示板２０を載せる時に、指先にて表示板２０の外周端部分を支えた状態にて凹部４２０箇所による窪み箇所を利用しながら指先を凹部４２０内へ送り込むことができ、表示板２０のセットを容易に行うことができる。
【００５５】
従って、計器装置を分解（取り外し）する場合においても、上下のケース５０，６０に設けた係止部５２３，５１０と係合部６００との係合箇所のみを取り外すことによってケース体４０を基準として前面側の上ケース５０側と背面側の下ケース６０とを簡単に分離することができる。
【００５６】
また、ケース体４０の水平壁部４２上に組み付けられている表示板２０は、計器本体１１の指針軸１２に取り付けられている指針１３を取り外した後、ケース体４０の載置面部に設けられた開口孔部４２０ａからなる凹部４２０箇所に指先を沿わせながら表示板２０の外周端部分に指先を宛がい、ケース体４０の載置面部である水平壁部４２から簡単に表示板２０を浮き上がらせることができるものであり、表示板２０の取り外しや組み替えなどの作業を簡便に行うことができる。
【００５７】
この際、表示板２０の上側端縁の左右の領域の一部と対応するケース体４０箇所には、そのケース体４０の載置面部となる水平壁部４２の２箇所に開口孔部４２０ａからなる凹部４２０を設けてなることにより、作業者は、利き手となる右手あるいは左手にて２箇所の凹部４２０箇所のいずれかを選択して表示板２０の外周端部分に指先を沿わせ、表示板２０の外周端部分に指先を宛がいながら引っ掛けるように引き上げることにより、ケース体４０の載置面部から簡単に表示板２０を浮き上がらせることができ、表示板２０の取り外しや組み替えなどの作業を簡便に行うことができる。なお、複数の凹部（本実施形態では２箇所）を設けることにより、両手にて凹部４２０に指先を差し込みながら表示板２０の取り外しや組み替え作業を行うことができるため、さらに表示板２０の取り外しや組み替え作業を速やかに行うことが可能となる。
【００５８】
また、ケース体４０の水平壁部４２に設けられた凹部４２０箇所および位置決め凸部４１０箇所とを、上ケース５０に設けられた見返しパネル部材５２にて覆ってなることにより、ケース体４０に設けられた凹部４２０と位置決め凸部４１０とは上ケースに設けられた見返しパネル部材によって覆われるため、表示板２０に設けられた表示部２１（目盛や文字、数字）を含む表示領域以外の領域を目隠しすることができる。
【００５９】
なお、夜間などの照明時においては、指針１３を発光照明するための指針照明用の光源７１が発光すると、その照明光はケース体４０の円筒部４３の内部側にて案内されつつ表示板２０の貫通孔を通じて指針１３の基部側へと導光案内され、次いでその基部側から指示部へと導かれることにより、指針１３の指示部が照明される。
【００６０】
また、指針１３の照明と同時に、表示部照明用の光源７０が発光すると、その照明光は光源７０の真上に設けられた反射壁部４４によって反射され、この反射された光が反射面部４５へと導かれてさらに反射し、表示板２０の表示部２１が明るく透過照明される。
【００６１】
また、図９から図１３は、本発明の第２の実施形態を示すものであり、前述した図１から図８に示す第１の実施形態とほぼ同様に形成されている。この第２の実施形態にあっては、ケース体４０の載置面部となる水平壁部４２に設ける凹部４２０として、ケース体４０の載置面部となる水平壁部４２から下ケース６０側に向けて略断面コ字状に凹んで設けられた立ち下がり壁部４２０ｓと底壁部４２０ｂとを有する有底凹設部４２００からなっている。
【００６２】
このように、凹部４２０は、ケース体４０の載置面部から窪むように設けられた有底凹設部４２００によって形成されているため、ケース体４０の前面側から回路基板３０側に向けて外部からのゴミなどの侵入を未然に防ぐことができる。
【００６３】
また本実施形態においては、前述した第１の実施形態と同様にして、ケース体４０の載置面部となる水平壁部４２箇所には、位置決め凸部４１０に加えて指示計器１０の指針軸１２を取り巻くように設けられた円筒部４３の位置に合わせて水平壁部４２から前面側（ケース体４０の表面側）に突出する筒状部４３０が形成され、この筒状部４３０に表示板２０の挿通孔２２が挿入されることによって表示板２０が位置決めされながら保持されるように設けられている。
【００６４】
この際、図１０から図１２に示すように、筒状部４３０の外周の適所に係合突部４３０ａを設けることにより抜け止め保持され、表示板２０の浮き上がりを防ぐことも可能となるものであり、表示板２０をケース体４０の載置面部となる水平壁部４２側へと押圧することによって係合突部４３０ａに圧入固定するタイプと、図１３に示すように、筒状部４３０の外周の適所にフランジ状の係止鍔部４３０ｂを設け、この係止用鍔部４３０ｂに対して表示板２０をスライド移動させながら表示板２０の挿通孔２２を沿わせて係合保持するようにしたスライド移動による係合固定するタイプとがあるが、どちらにしても表示板２０の浮き上がりを係合突部４３０ａや係止用鍔部４３０ｂによって抑制することができるものであり、場合によっては係合突部４３０ａや係止用鍔部４３０ｂを設けることなく両面粘着材にて貼り合わせることにより表示板２０とケース体４０の載置面部となる水平壁部４２との間において浮き上がりを防ぐようにしても良い。また、他の手段として指針軸１２周りの領域の表示板２０が浮き上がることを防ぐものとして、例えば特開２００７−２７１４６１号公報などに開示されているリング状の合成樹脂により形成されたカラー部材（リング部材）を嵌め込むことによりケース体４０の載置面部となる水平壁部４２側に表示板２０を保持するようにしても良い。
【００６５】
従って、計器装置を分解（取り外し）あるいは組み替えをする場合においては、前述した第１の実施形態と同様にして、少なくとも上ケース５０を取り外し、次いで指針１３を計器本体１１側から取り外した後、ケース体４０の載置面部から窪むように設けられた有底凹設部４２００箇所に指先を沿わせながら表示板２０の外周端部分に指先を宛がい、ケース体４０の載置面部である水平壁部４２から簡単に表示板２０を浮き上がらせることができるものであり、表示板２０自体の取り外し操作を容易に行うことが可能となり、これにより表示板２０の取り外しや組み替えなどの作業を簡便に行うことができる。
【００６６】
また図１４および図１５は、第２の実施形態である計器装置におけるケース体に設けられた有底凹設部の他の変形例を示すもので、この変形例にあっては、前述した第２の実施形態とほぼ同様にして、有底凹設部４２００は、載置面部となる水平壁部４２から下ケース６０側に向けて略断面コ字状に凹んで設けられた立ち下がり壁部４２０ｓと底壁部４２０ｂとからなり、加えて有底凹設部４２００に設けられた底壁部４２０ｂの少なくともその一部に突き当て部４２０ｐを設け、この突き当て部４２０ｐを回路基板３０の表面側に押し付けながら保持するように設けている。
【００６７】
この場合、図１５に示すように、突き当て部４２０ｐ自体に弾力性を持たせるために底壁部４２０ｂ箇所にＵ字状のスリットＳを設け、突き当て部４２０ｐの下端部を回路基板３０の表面に突き当て配置するように設けている。
【００６８】
このように突き当て部４２０ｐによって回路基板３０の表面側に向けて押し付けながら保持することにより、回路基板３０の中央箇所の浮き上がりを突き当て部４２０ｐによって防ぐことができるとともに、突き当て部４２０ｐを回路基板３０の表面部分に当接することで、外部振動に対して回路基板３０が共振することもなく保持されるものであり、共振などによる軋み音などの異音の発生も防ぐことができる。
【００６９】
また、本実施形態における変形例として、回路基板３０に突き当て配置する突き当て部４２０ｐを弾性変形可能に設けるようにしていたが、突き当て部４２０ｐを部分的に底壁部４２０ｂから一体に突出形成するようにしても良いものであり、この場合、部分的に突き出し形成した突き当て部と４２０ｐと下ケース６０との間に回路基板３０を挟み付けて保持するようにしても同様な効果を得ることができる。
【００７０】
なお本発明は、前記実施形態に限定されるものではなく本発明の要旨の範囲内において種々の変形実施が可能であり、例えば各実施形態においては、指針式の指示計器１０を例にして説明していたが、例えば液晶表示素子からなる表示装置による指示計器としてもよいものである。場合によっては、ケース体４０に回路基板３０を組み付け、この回路基板３０が組み付けられたケース体４０を上ケース５０と下ケース６０との間に挟持して固定保持するように構成しても組み付け・取り外しの作業効率を高めることができるものである。
【００７１】
また、ケース体４０の載置面部となる水平壁部４２に設ける凹部４２０の個数や形状などは表示板２０の外周端部分の形態に合わせて形成すれば良いものであり、また前述の実施形態にあっては、表示板２０自体は複数の指示計器１０（速度計、燃料計、水温計など）のそれぞれの表示部２１を一枚の基板からなる表示板２０に設けるように形成していたが、それぞれ指示計器を１０を分離した状態にて表示部２１を施した表示板２０をケース体４０に組み付け保持するものであっても、同様な効果を得ることができる。すなわち、各表示板２０の外周端部分の一部の領域に合わせてケース体４０の載置面部となる水平壁部４２の適所に凹部４２０を設けてなることにより、前述した各実施形態とほぼ同様にして、ケース体４０に対して、それぞれの表示板２０の組み付けおよび表示板２０の取り外しや組み替えなどの作業を簡便に行うことができる。
【産業上の利用可能性】
【００７２】
また、前述した実施形態において詳述したように、車両用の計器装置を例にして説明したが、車両用の計器装置に限らず船舶用計器あるいは農業用機械や建設機械などの特殊車両の計器装置などにおいても適用することが可能であり、また指針式あるいは液晶による指示計器に限らず、例えばＥＬ表示パネルからな表示素子を用いた指示計器においても同様な構成を採用することができるものであり、同様な効果を得ることが可能である。
【符号の説明】
【００７３】
Ｓ    スリット
１０    指示計器
１１    計器本体
１２    指針軸
１３    指針
２０    表示板
２１    表示部
２２    挿通孔
３０    回路基板
３１    軸孔
４０    中ケース
４１    側壁部
４２    水平壁部（載置面部）
４３    円筒部
４４    反射壁部
４５    反射面部
５０    上ケース
５１    透視カバーパネル部材
５２    見返しパネル部材
６０    下ケース
７０，７１    光源（発光ダイオード）
２００    切り欠き部
４００    フランジ部
４１０    位置決め凸部
４２０    凹部
４２０ａ    開口孔部
４２０ｂ    底壁部
４２０ｐ    突き当て部
４２０ｓ    立ち下がり壁部
４３０    筒状部
４３０ａ    係合突部
４３０ｂ    係止用鍔部
５１０    係止部
５１１    弾性腕片
５１２    フック部
５２０    係合部
５２１    弾性腕片
５２２    フック部
５２３    係止部
６００    係合部
６１０    載置部
４２００    有底凹設部
【図１】
0005560956.tif 000002
【図２】
0005560956.tif 000003
【図３】
0005560956.tif 000004
【図４】
0005560956.tif 000005
【図５】
0005560956.tif 000006
【図６】
0005560956.tif 000007
【図７】
0005560956.tif 000008
【図８】
0005560956.tif 000009
【図９】
0005560956.tif 000010
【図１０】
0005560956.tif 000011
【図１１】
0005560956.tif 000012
【図１２】
0005560956.tif 000013
【図１３】
0005560956.tif 000014
【図１４】
0005560956.tif 000015
【図１５】
0005560956.tif 000016